(57)【特許請求の範囲】
【請求項１】
印刷装置と印刷後処理装置とを具備する印刷システムの印刷条件指定方法において、
前記印刷装置による印刷条件と前記印刷後処理装置による印刷後処理条件との指定を受ける際に、前記印刷条件と前記印刷後処理条件とのいずれか一方の指定に伴って他方を変更し、前記印刷条件と前記印刷後処理条件とに基づいた前記印刷後処理装置での処理後の出来上がりイメージを表示することを特徴とする印刷条件指定方法。
【請求項２】
前記印刷条件は、印刷用紙に対する余白の指定を含み、前記余白の指定に伴って前記印刷後処理条件を変更することを特徴とする請求項１記載の印刷条件指定方法。
【請求項３】
前記印刷条件は、印刷用紙に対する余白の指定を含み、前記印刷後処理条件の指定に伴って前記余白を変更することを特徴とする請求項１記載の印刷条件指定方法。
【請求項４】
前記印刷後処理条件は、印刷用紙に対するステープル位置の指定を含むことを特徴とする請求項１乃至３のいずれかに記載の印刷条件指定方法。
【請求項５】
前記印刷後処理条件は、印刷用紙に対するパンチ位置の指定を含むことを特徴とする請求項１乃至３のいずれかに記載の印刷条件指定方法。
【請求項６】
印刷装置と印刷後処理装置とを具備する印刷システムの印刷条件指定装置において、
前記印刷装置による印刷の条件指定に基づいて印刷条件を設定する印刷条件設定手段と、
前記印刷後処理装置による印刷後処理の条件指定に基づいて印刷後処理条件を設定するとともに、前記印刷条件設定手段が設定した印刷条件に基づいて前記印刷後処理条件を変更して設定する印刷後処理条件設定手段と、
前記印刷条件設定手段により設定された印刷条件と前記印刷後処理条件設定手段により設定された印刷後処理条件とに基づいた前記印刷後処理後の出来上がりイメージを表示するイメージ表示手段と
を具備することを特徴とする印刷条件指定装置。
【請求項７】
前記印刷条件は、印刷用紙に対する余白の指定を含み、
前記印刷後処理条件設定手段は、前記印刷条件設定手段が前記余白の指定を設定した際に、前記印刷後処理条件を変更する
ことを特徴とする請求項６記載の印刷条件指定装置。
【請求項８】
前記印刷後処理条件設定手段は、
印刷用紙に対するステープル位置の指定を前記印刷後処理条件として設定することを特徴とする請求項６または７に記載の印刷条件指定装置。
【請求項９】
前記印刷後処理条件設定手段は、
印刷用紙に対するパンチ位置の指定を前記印刷後処理条件として設定することを特徴とする請求項６または７に記載の印刷条件指定装置。
【請求項１０】
印刷装置と印刷後処理装置とを具備する印刷システムの印刷条件指定装置において、
前記印刷後処理装置による印刷後処理の条件指定に基づいて印刷後処理条件を設定する印刷後処理条件設定手段と、
前記印刷装置による印刷の条件指定に基づいて印刷条件を設定するとともに、前記印刷後処理条件設定手段が設定した印刷後処理条件に基づいて前記印刷条件を変更して設定する印刷条件設定手段と、
前記印刷条件設定手段により設定された印刷条件と前記印刷後処理条件設定手段により設定された印刷後処理条件とに基づいた前記印刷後処理後の出来上がりイメージを表示するイメージ表示手段と
を具備することを特徴とする印刷条件指定装置。
【請求項１１】
前記印刷条件は、印刷用紙に対する余白の指定を含み、
前記印刷条件設定手段は、前記印刷後処理条件設定手段が前記印刷後処理条件を設定した際に、前記余白の設定を変更する
ことを特徴とする請求項１０記載の印刷条件指定装置。
【請求項１２】
前記印刷後処理条件設定手段は、
印刷用紙に対するステープル位置の指定を前記印刷後処理条件として設定することを特徴とする請求項１０または１１に記載の印刷条件指定装置。
【請求項１３】
前記印刷後処理条件設定手段は、
印刷用紙に対するパンチ位置の指定を前記印刷後処理条件として設定することを特徴とする請求項１０または１１に記載の印刷条件指定装置。
【発明の詳細な説明】
【０００１】
【発明の属する技術分野】
この発明は、印刷条件指定方法および装置に関し、特に、ステープルやパンチ等の印刷後処理の設定の変更に応じた印刷の出来上がりイメージを印刷前に確認することのできる印刷条件指定方法および装置に関する。
【０００２】
【従来技術】
プリンタから印刷出力を行う際には、通常、ユーザが上位装置であるＰＣ（パーソナルコンピュータ）等から印刷条件を指定してから印刷を行う。この印刷条件には、用紙の印刷方向指定や用紙の横用紙回転方向指定、Ｎアップ印刷指定、両面印刷指定等があり、ユーザはこれらの指定を行うとともに、指定した印刷条件に見合った印刷マージンの変更等を行う必要がある。
【０００３】
ユーザが印刷条件の設定を行う際には、ＰＣに接続されたディスプレイの表示を参照しながら各印刷条件をＰＣより入力する。このとき、ディスプレイの表示が文字列や数字の羅列であると、ユーザの誤操作や誤認識のために所望の印刷結果が得られないことなどが多い。
【０００４】
このため、特公平４−３２４０９号公報では、用紙の縦横のイメージを表示し、この表示を参照して印刷マージンの設定を行う印刷条件指定装置が提案されている。
【０００５】
一方、プリンタにステープラーやパンチャー等の印刷後処理装置を接続し、ステープルやパンチ等の印刷後処理を行うことのできるプリンタシステムにおいては、上述の印刷条件に加えてステープルやパンチ等の印刷後処理を施す位置を設定する必要があるとともに、印刷後処理の設定に応じて印刷マージンを変更する必要等がある。
【０００６】
このような、印刷後処理を行うプリンタシステムにおいても、文字列や数字が羅列されている表示を参照して印刷条件等の設定を行った場合にも、ユーザの誤操作や誤認識のために所望の印刷結果および印刷後処理結果が得られないことなどが多いが、上述の特公平４−３２４０９号公報で提案されている技術は、用紙の印刷方向の条件や印刷マージン等の設定に特化しており、プリンタの印刷後処理を指定する装置としては不十分であった。
【０００７】
【発明が解決しようとする課題】
上述のように、印刷を行う際にステープルやパンチ等の印刷後処理を含めた印刷条件をディスプレイに表示された文字列や数字の羅列を参照および選択することで設定すると、ユーザの誤操作や誤認識等により所望の印刷結果が得られず出力用紙の無駄が多く、プリンターやネットワーク（ネットワークに接続されているプリンタの場合）の負荷の増大にもつながるといった問題点があった。
【０００８】
そこで、この発明は、ユーザによる印刷条件の設定の操作性を向上させ、ユーザが容易に所望の印刷出力結果を得られるようにした印刷条件指定方法および装置を提供することを目的とする。
【０００９】
【課題を解決するための手段】
上述した目的を達成するため、請求項１の発明は、印刷装置と印刷後処理装置とを具備する印刷システムの印刷条件指定方法において、前記印刷装置による印刷条件と前記印刷後処理装置による印刷後処理条件との指定を受ける際に、前記印刷条件と前記印刷後処理条件とのいずれか一方の指定に伴って他方を変更し、前記印刷条件と前記印刷後処理条件とに基づいた前記印刷後処理装置での処理後の出来上がりイメージを表示することを特徴とする。
【００１０】
また、請求項２の発明は、請求項１の発明において、前記印刷条件は、印刷用紙に対する余白の指定を含み、前記余白の指定に伴って前記印刷後処理条件を変更することを特徴とする。
【００１１】
また、請求項３の発明は、請求項１の発明において、前記印刷条件は、印刷用紙に対する余白の指定を含み、前記印刷後処理条件の指定に伴って前記余白を変更することを特徴とする。
【００１２】
また、請求項４の発明は、請求項１乃至３のいずれかの発明において、前記印刷後処理条件は、印刷用紙に対するステープル位置の指定を含むことを特徴とする。
【００１３】
また、請求項５の発明は、請求項１乃至３のいずれかの発明において、前記印刷後処理条件は、印刷用紙に対するパンチ位置の指定を含むことを特徴とする。
【００１４】
また、請求項６の発明は、印刷装置と印刷後処理装置とを具備する印刷システムの印刷条件指定装置において、前記印刷装置による印刷の条件指定に基づいて印刷条件を設定する印刷条件設定手段と、前記印刷後処理装置による印刷後処理の条件指定に基づいて印刷後処理条件を設定するとともに、前記印刷条件設定手段が設定した印刷条件に基づいて前記印刷後処理条件を変更して設定する印刷後処理条件設定手段と、前記印刷条件設定手段により設定された印刷条件と前記印刷後処理条件設定手段により設定された印刷後処理条件とに基づいた前記印刷後処理後の出来上がりイメージを表示するイメージ表示手段とを具備することを特徴とする。
【００１５】
また、請求項７の発明は、請求項６の発明において、前記印刷条件は、印刷用紙に対する余白の指定を含み、前記印刷後処理条件設定手段は、前記印刷条件設定手段が前記余白の指定を設定した際に、前記印刷後処理条件を変更することを特徴とする。
【００１６】
また、請求項８の発明は、請求項６または７の発明において、前記印刷後処理条件設定手段は、印刷用紙に対するステープル位置の指定を前記印刷後処理条件として設定することを特徴とする。
【００１７】
また、請求項９の発明は、請求項６または７の発明において、前記印刷後処理条件設定手段は、印刷用紙に対するパンチ位置の指定を前記印刷後処理条件として設定することを特徴とする。
【００１８】
また、請求項１０の発明は、印刷装置と印刷後処理装置とを具備する印刷システムの印刷条件指定装置において、前記印刷後処理装置による印刷後処理の条件指定に基づいて印刷後処理条件を設定する印刷後処理条件設定手段と、前記印刷装置による印刷の条件指定に基づいて印刷条件を設定するとともに、前記印刷後処理条件設定手段が設定した印刷後処理条件に基づいて前記印刷条件を変更して設定する印刷条件設定手段と、前記印刷条件設定手段により設定された印刷条件と前記印刷後処理条件設定手段により設定された印刷後処理条件とに基づいた前記印刷後処理後の出来上がりイメージを表示するイメージ表示手段とを具備することを特徴とする。
【００１９】
また、請求項１１の発明は、請求項１０の発明において、前記印刷条件は、印刷用紙に対する余白の指定を含み、前記印刷条件設定手段は、前記印刷後処理条件設定手段が前記印刷後処理条件を設定した際に、前記余白の設定を変更することを特徴とする。
【００２０】
また、請求項１２の発明は、請求項１０または１１の発明において、前記印刷後処理条件設定手段は、印刷用紙に対するステープル位置の指定を前記印刷後処理条件として設定することを特徴とする。
【００２１】
また、請求項１３の発明は、請求項１０または１１の発明において、前記印刷後処理条件設定手段は、印刷用紙に対するパンチ位置の指定を前記印刷後処理条件として設定することを特徴とする。
【００２３】
【発明の実施の形態】
以下、この発明に係わる印刷条件指定方法および装置の一実施例を添付図面を参照して詳細に説明する。
【００２４】
図１は、印刷条件指定装置の構成を示すブロック図である。
【００２５】
印刷条件指定装置１は、用紙の印刷方向指定や用紙の横用紙回転方向指定、Ｎアップ印刷指定、両面印刷指定等の印刷条件を指定する印刷条件指定部１１、ステープルやパンチ等の印刷後処理を指定する印刷後処理指定部１２、印刷条件指定部１１および印刷後処理指定部１２の指定に基づいた表示を行うためにビットマップを選択するビットマップ選択部１３、表示用のビットマップ郡を格納する表示用ビットマップ格納部１４、印刷条件指定部１１および印刷後処理指定部１２の指定結果とビットマップ選択部１３が選択したビットマップを表示する表示部１５を具備して構成され、プリンタ２１とステープラーやパンチャー等の印刷後処理装置２２で構成される印刷装置２と接続されている。
【００２６】
なお、この印刷条件指定装置１は、実際にはプリンタドライバ等のアプリケーションソフトとして実現される。
【００２７】
図２は、印刷条件指定装置の実際の構成を示すブロック図である。
【００２８】
図２において、印刷条件指定装置はキーボードやマウス等の入力装置３、プリンタドライバ４、表示装置５で構成される。プリンタドライバ４は表示用ビットマップ群４１、ビットマップ選択部４２、設定ウインドウ４３で構成され、図１に示した印刷条件指定部１１および印刷後処理指定部１２は入力装置３と設定ウインドウ４３で構成され、ビットマップ選択部１３はビットマップ選択部４２に、表示用ビットマップ格納部１４は表示用ビットマップ群４１に、表示部１５は設定ウインドウ１３と表示装置５に各々対応する。
【００２９】
ここで、図３に表示装置５が表示する設定ウインドウ４３の表示例を示す。
【００３０】
ウインドウ４３には、用紙の印刷方向を設定する設定項目Ａ４３１、横用紙回転方向を設定する設定項目Ｂ４３２、印刷をＮアップに設定する設定項目Ｃ４３３、印刷を両面印刷に設定する設定項目Ｄ４３４、ステープルを施す位置を設定する設定項目Ｅ４３５、印刷マージンを設定する設定項目Ｆ４３６、各設定に基づいたビットマップを表示するビットマップ表示部４３７、各設定項目４３１乃至４３６での設定を決定する決定（ＯＫ）ボタン４３８等が表示される。
【００３１】
設定項目Ａ４３１は用紙の印刷方向を「縦」または「横」に設定し、設定項目Ｂ４３２は設定項目Ａ４３１で用紙の印刷方向が「横」に設定された場合や縦方向と横方向が混在して印刷される場合の横方向用紙の印刷を縦方向用紙の印刷に対して「反時計回り」または「時計回り」に設定する。また、設定項目Ｃ４３３は、１枚の用紙に対して複数ページの印刷を行うＮアップ印刷を設定する項目であり、ここでは「なし」、「２アップ」、「４アップ」の３通りを選択できる。設定項目Ｄ４３４は両面印刷をするか否かを設定する項目で「なし」で片面印刷を、「両面長辺綴じ」で長辺方向を綴じる両面印刷を、「両面短辺綴じ」で短辺方向を綴じる両面印刷を設定する。設定項目Ｅはステープルを施す位置を設定し、「なし」、「上辺ダブル」、「右辺ダブル」、「左辺ダブル」、「右上コーナー」、「左上コーナー」を選択できる。設定項目Ｆ４３６は、印刷時のマージンを設定する項目で「マージンなし」、「上マージン」、「右マージン」、「左マージン」を選択できる。
【００３２】
次に、印刷条件指定装置１における印刷条件設定時の動作を説明する。
図４は、印刷条件指定装置の動作の流れを示すフローチャートである。
【００３３】
さて、印刷処理が開始されると（ステップ１０１）、印刷条件指定装置１は表示部１５に図３に示した設定ウインドウ４３を表示する。ここで、ユーザが印刷条件指定部１１の操作により設定項目４３１乃至４３６のいずれかを変更し（ステップ１０２でＹＥＳ）、その変更が設定項目Ａ４３１の「用紙の印刷方向」であった場合には（ステップ１０３でＹＥＳ）、印刷条件指定装置１は図示しない抽出キーＡをユーザの指定にしたがって「縦」または「横」に設定する（ステップ１０４）。
【００３４】
また、設定項目Ｂ４３２の「横用紙回転方向」の設定の変更であった場合には（ステップ１０５でＹＥＳ）、印刷条件指定装置１は図示しない抽出キーＢをユーザの指定にしたがって「反時計回り」または「時計回り」に設定する（ステップ１０６）。
【００３５】
設定項目Ｃ４３３の「Ｎアップ」の設定の変更であった場合には（ステップ１０７でＹＥＳ）、印刷条件指定装置１は図示しない抽出キーＣをユーザの指定にしたがって「なし」、「２アップ」、「４アップ」のいずれかにに設定する（ステップ１０８）。
【００３６】
設定項目Ｄ４３４の「両面印刷」の設定の変更であった場合には（ステップ１０９でＹＥＳ）、印刷条件指定装置１は図示しない抽出キーＤをユーザの指定にしたがって「なし（片面）」または「両面長辺綴じ」、「両面短辺綴じ」のいずれかに設定する（ステップ１１０）。
【００３７】
設定項目Ｅ４３５の「ステープル」の設定の変更であった場合には（ステップ１１１でＹＥＳ）、印刷条件指定装置１は図示しない抽出キーＥをユーザの指定にしたがって「なし」、「上辺ダブル」、「右辺ダブル」、「左辺ダブル」、「右上コーナー」、「左上コーナー」のいずれかに設定する（ステップ１１２）。
【００３８】
設定項目Ｆ４３６の「マージン」の設定の変更であった場合には（ステップ１１３でＹＥＳ）、印刷条件指定装置１は図示しない抽出キーＦをユーザの指定にしたがって「なし」、「上マージン」、「右マージン」、「左マージン」のいずれかに設定する（ステップ１１４）。
【００３９】
設定項目４３１乃至４３６のいずれかが変更されると、ビットマップ選択部１３は表示用ビットマップ格納部１４に格納されているビットマップ群から、抽出キーＡ乃至Ｆの設定に基づいたビットマップを選択し（ステップ１１５）、表示部１５がビットマップ表示部４３７に表示する（ステップ１１６）。
【００４０】
このステップ１１５でのビットマップの選択およびステップ１１６でのビットマップの表示は、決定（ＯＫ）ボタン４３８が押下されて設定の変更が確定されるまでは（ステップ１１７でＮＯ）、設定項目４３１乃至４３６のいずれかが変更される度に変更され、決定（ＯＫ）ボタン４３８が押下されて設定の変更が確定されると（ステップ１１７でＹＥＳ）、印刷条件の設定を終了し（ステップ１１８）、印刷装置２で印刷および印刷後処理が行われる。
【００４１】
ここで、図５にビットマップ表示部４３７に表示されるビットマップの例を示す。
【００４２】
図５（ａ）は設定項目Ａ４３１の「用紙の印刷方向」が「縦」、設定項目Ｂ４３２の「横用紙回転方向」が「反時計回り」、設定項目Ｃ４３３の「Ｎアップ」が「なし」、設定項目Ｄ４３４の「両面印刷」が「片面」、設定項目Ｅ４３５の「ステープル」が「なし」、設定項目Ｆ４３６の「マージン」が「なし」に設定された場合のビットマップである。
【００４３】
また、図５（ｂ）は設定項目Ａ４３１の「用紙の印刷方向」が「縦」、設定項目Ｂ４３２の「横用紙回転方向」が「反時計回り」、設定項目Ｃ４３３の「Ｎアップ」が「なし」、設定項目Ｄ４３４の「両面印刷」が「片面」、設定項目Ｅ４３５の「ステープル」が「左上コーナー」、設定項目Ｆ４３６の「マージン」が「左マージン」に設定された場合のビットマップである。
【００４４】
図５（ｃ）は設定項目Ａ４３１の「用紙の印刷方向」が「縦」、設定項目Ｂ４３２の「横用紙回転方向」が「時計回り」、設定項目Ｃ４３３の「Ｎアップ」が「なし」、設定項目Ｄ４３４の「両面印刷」が「片面」、設定項目Ｅ４３５の「ステープル」が「右上コーナー」、設定項目Ｆ４３６の「マージン」が「右マージン」に設定された場合のビットマップである。
【００４５】
図５（ｄ）は設定項目Ａ４３１の「用紙の印刷方向」が「縦」、設定項目Ｂ４３２の「横用紙回転方向」が「反時計回り」、設定項目Ｃ４３３の「Ｎアップ」が「なし」、設定項目Ｄ４３４の「両面印刷」が「片面」、設定項目Ｅ４３５の「ステープル」が「左辺ダブル」、設定項目Ｆ４３６の「マージン」が「左マージン」に設定された場合のビットマップである。
【００４６】
図５（ｅ）は設定項目Ａ４３１の「用紙の印刷方向」が「縦」、設定項目Ｂ４３２の「横用紙回転方向」が「反時計回り」、設定項目Ｃ４３３の「Ｎアップ」が「なし」、設定項目Ｄ４３４の「両面印刷」が「片面」、設定項目Ｅ４３５の「ステープル」が「上辺ダブル」、設定項目Ｆ４３６の「マージン」が「上マージン」に設定された場合のビットマップである。
【００４７】
図５（ｆ）は設定項目Ａ４３１の「用紙の印刷方向」が「横」、設定項目Ｂ４３２の「横用紙回転方向」が「反時計回り」、設定項目Ｃ４３３の「Ｎアップ」が「なし」、設定項目Ｄ４３４の「両面印刷」が「片面」、設定項目Ｅ４３５の「ステープル」が「右辺ダブル」、設定項目Ｆ４３６の「マージン」が「右マージン」に設定された場合のビットマップである。
【００４８】
図５（ｇ）は設定項目Ａ４３１の「用紙の印刷方向」が「縦」、設定項目Ｂ４３２の「横用紙回転方向」が「反時計回り」、設定項目Ｃ４３３の「Ｎアップ」が「２アップ」、設定項目Ｄ４３４の「両面印刷」が「片面」、設定項目Ｅ４３５の「ステープル」が「左上コーナー」、設定項目Ｆ４３６の「マージン」が「左マージン」に設定された場合のビットマップである。
【００４９】
図５（ｈ）は設定項目Ａ４３１の「用紙の印刷方向」が「縦」、設定項目Ｂ４３２の「横用紙回転方向」が「反時計回り」、設定項目Ｃ４３３の「Ｎアップ」が「なし」、設定項目Ｄ４３４の「両面印刷」が「両面長辺綴じ」、設定項目Ｅ４３５の「ステープル」が「左辺ダブル」、設定項目Ｆ４３６の「マージン」が「左マージン」に設定された場合のビットマップである。
【００５０】
この図５に示したようなビットマップは、ビットマップ格納部１４に格納されており、ビットマップ選択部１３が設定項目４３１乃至４３６の設定に基づいてビットマップを選択し、そのビットマップがビットマップ表示部４３７に表示されるため、ユーザは印刷および印刷後処理後の出来上がりイメージを確認しながら設定項目４３１乃至４３６の設定を行うことができる。
【００５１】
なお、図５に示したビットマップは一例であり、ビットマップ格納部１４には設定項目４３１乃至４３６の設定の全ての組み合わせパターンに対応した出来上がりイメージのビットマップが格納されている。
【００５２】
次に、この発明に係わる印刷条件指定方法および装置の第２の実施例について説明する。
この第２の実施例では、印刷条件指定装置の構成は上述の実施例と同様であるため、構成の説明は省略し、印刷条件設定時の動作を説明する。
【００５３】
図６は、第２の実施例における印刷条件指定装置の動作の流れを示すフローチャートである。
【００５４】
印刷処理が開始されると（ステップ２０１）、印刷条件指定装置１は表示部１５に設定ウインドウ４３を表示する。ここで、ユーザが印刷条件指定部１１の操作により設定項目４３１乃至４３６のいずれかを変更し（ステップ２０２でＹＥＳ）、その変更が設定項目Ａ４３１の「用紙の印刷方向」（ステップ２０３でＹＥＳ）、設定項目Ｂ４３２の「横用紙回転方向」（ステップ２０５でＹＥＳ、設定項目Ｃ４３３の「Ｎアップ」（ステップ２０７でＹＥＳ）、設定項目Ｄ４３４の「両面印刷」（ステップ２０９でＹＥＳ）であった場合には、上述の第１の実施例の場合と同様に、印刷条件指定装置１は各々図示しない抽出キーＡ乃至Ｄをユーザの指定にしたがって設定する（ステップ２０４、２０６、２０８、２１０）。
【００５５】
ここで、ステップ２０２での変更が設定項目Ｅ４３５の「ステープル」の設定の変更であった場合には（ステップ２１１でＹＥＳ）、印刷条件指定装置１は図示しない抽出キーＥをユーザの指定にしたがって「なし」、「上辺ダブル」、「右辺ダブル」、「左辺ダブル」、「右上コーナー」、「左上コーナー」のいずれかに設定するとともに（ステップ２１２）、抽出キーＦ（マージンの設定）を「なし」（抽出キーＥが「なし」に設定の場合）、「上マージン」（抽出キーＥが「上辺ダブル」に設定の場合）「右マージン」（抽出キーＥが「右辺ダブル」または「右上コーナー」に設定の場合）、「左マージン」（抽出キーＥが「左辺ダブル」または「左上コーナー」に設定の場合）のいずれかに設定する（ステップ２１３）。
【００５６】
また、ステップ２０２での変更が設定項目Ｆ４３６の「マージン」の設定の変更であった場合には（ステップ２１４でＹＥＳ）、印刷条件指定装置１は図示しない抽出キーＦをユーザの指定にしたがって「なし」、「上マージン」、「右マージン」、「左マージン」のいずれかに設定する（ステップ２１５）。
【００５７】
設定項目４３１乃至４３６のいずれかが変更されると、ビットマップ選択部１３は表示用ビットマップ格納部１４に格納されているビットマップ群から、抽出キーＡ乃至Ｆの設定に基づいたビットマップを選択し（ステップ２１６）、表示部１５がビットマップ表示部４３７に表示する（ステップ２１７）。
【００５８】
このステップ２１６でのビットマップの選択およびステップ２１７でのビットマップの表示は、決定（ＯＫ）ボタン４３８が押下されて設定の変更が確定されるまでは（ステップ２１８でＮＯ）、設定項目４３１乃至４３６のいずれかが変更される度に変更され、決定（ＯＫ）ボタン４３８が押下されて設定の変更が確定されると（ステップ２１８でＹＥＳ）、印刷条件の設定は終了する（ステップ２１９）。
【００５９】
以上、説明したように、この第２の実施例ではステープルを施す位置を設定した際に、マージンを自動的に変更するようにしてあり、ステープルの位置とマージンとの不整合を防止することができる。
なお、マージンはユーザが任意に変更することも当然可能である。
【００６０】
次に、この発明に係わる印刷条件指定方法および装置の第３の実施例について説明する。
この第３の実施例では、印刷条件指定装置の構成は上述の各実施例と同様であるため、構成の説明は省略し、印刷条件設定時の動作を説明する。
【００６１】
図７は、第３の実施例における印刷条件指定装置の動作の流れを示すフローチャートである。
【００６２】
印刷処理が開始されると（ステップ３０１）、印刷条件指定装置１は表示部１５に設定ウインドウ４３を表示する。ここで、ユーザが印刷条件指定部１１の操作により設定項目４３１乃至４３６のいずれかを変更し（ステップ３０２でＹＥＳ）、その変更が設定項目Ａ４３１の「用紙の印刷方向」（ステップ３０３でＹＥＳ）、設定項目Ｂ４３２の「横用紙回転方向」（ステップ３０５でＹＥＳ、設定項目Ｃ４３３の「Ｎアップ」（ステップ３０７でＹＥＳ）、設定項目Ｄ４３４の「両面印刷」（ステップ３０９でＹＥＳ）、設定項目Ｅ４３５の「ステープル」（ステップ３１１でＹＥＳ）であった場合には、上述の第１の実施例の場合と同様に、印刷条件指定装置１は各々図示しない抽出キーＡ乃至Ｄをユーザの指定にしたがって設定する（ステップ３０４、３０６、３０８、３１０、３１２）。
【００６３】
ここで、ステップ３０２での変更が設定項目Ｆ４３６の「マージン」の設定の変更であり（ステップ３１１でＹＥＳ）、抽出キーＥ４３５（ステープル）が
「上辺ダブル」、「右辺ダブル」、「左辺ダブル」、「右上コーナー」、「左上コーナー」のいずれかに設定されていた場合に（ステップ３１４でＮＯ）、印刷条件指定装置１は図示しない抽出キーＥ４３５をユーザのマージン指定にしたがって「上辺ダブル」（マージンが「上マージン」に指定された場合）、「右辺ダブル」（マージンが「右マージン」に指定された場合）、「左辺ダブル」（マージンが「左マージン」に指定された場合）、「左上コーナー」（マージンが「なし」に指定された場合）のいずれかに変更するとともに（ステップ３１５）、抽出キーＦ４３６（マージンの設定）を「なし」、「上マージン」、「右マージン」、「左マージン」のいずれかに設定する（ステップ３１６）。
【００６４】
また、抽出キーＥ４３５（ステープル）が「なし」に設定されていた場合には（ステップ３１４でＹＥＳ）、印刷条件指定装置１は図示しない抽出キーＦ４３６（マージンの設定）を「なし」、「上マージン」、「右マージン」、「左マージン」のいずれかに設定する（ステップ３１６）。
【００６５】
設定項目４３１乃至４３６のいずれかが変更されると、ビットマップ選択部１３は表示用ビットマップ格納部１４に格納されているビットマップ群から、抽出キーＡ乃至Ｆの設定に基づいたビットマップを選択し（ステップ３１７）、表示部１５がビットマップ表示部４３７に表示する（ステップ３１８）。
【００６６】
このステップ３１７でのビットマップの選択およびステップ３１８でのビットマップの表示は、決定（ＯＫ）ボタン４３８が押下されて設定の変更が確定されるまでは（ステップ３１９でＮＯ）、設定項目４３１乃至４３６のいずれかが変更される度に変更され、決定（ＯＫ）ボタン４３８が押下されて設定の変更が確定されると（ステップ３１９でＹＥＳ）、印刷条件の設定は終了する（ステップ３２０）。
【００６７】
以上、説明したように、この第３の実施例ではステープルを施す位置が設定されている場合にマージンを変更すると、ステープルを施す位置を自動的に変更するようにしてあり、ステープルの位置とマージンとの不整合を防止することができる。
なお、ステープルを施す位置はユーザが任意に変更することも当然可能である。
【００６８】
また、上述の各実施例においては、ビットマップ表示部４３７に表示するビットマップは静止画像として説明したが、複数のビットマップを用いたアニメーションにより動画として表示させることもできる。
【００６９】
図８は、ビットマップ表示部４３７にアニメーションを用いた動画を表示させる場合のビットマップの一例を示した図である。
【００７０】
図８に示した図は、設定項目Ａ４３１の「用紙の印刷方向」が「縦」、設定項目Ｂ４３２の「横用紙回転方向」が「反時計回り」、設定項目Ｃ４３３の「Ｎアップ」が「なし」、設定項目Ｄ４３４の「両面印刷」が「両面長辺綴じ」、設定項目Ｅ４３５の「ステープル」が「左辺ダブル」、設定項目Ｆ４３６の「マージン」が「左マージン」に設定された場合にビットマップ表示部４３７に表示されるビットマップであり、図８（ａ）乃至（ｄ）を所定の時間間隔で順次切り換えて表示することで、ユーザには出来上がりイメージの動画として認識される。
【００７１】
また、上述の各実施例においては、印刷後処理装置２２をステープラーとして説明したが、印刷処理装置２２はパンチャーやステープラーとパンチャーの両者の機能を有する装置であっても同様に出来上がりイメージを表示することで、印刷条件の設定の操作性を向上させることができる。
【００７２】
図９は、印刷処理装置２２がパンチャーの場合とステープラーとパンチャーの両者の機能を有する装置の場合にビットマップ表示部４３７に表示されるビットマップの一例を示した図である。
【００７３】
図９において、図９（ａ）は「用紙の印刷方向」が「縦」、「横用紙回転方向」が「反時計回り」、「Ｎアップ」が「なし」、「両面印刷」が「片面」、「パンチ」が「左辺」、「マージン」が「左マージン」に設定された場合のビットマップであり、図９（ｂ）は「用紙の印刷方向」が「縦」、「横用紙回転方向」が「時計回り」、「Ｎアップ」が「なし」、「両面印刷」が「片面」、「パンチ」が「右辺」、「マージン」が「右マージン」に設定された場合のビットマップ、図９（ｃ）は「用紙の印刷方向」が「縦」、「横用紙回転方向」が「反時計回り」、「Ｎアップ」が「なし」、「両面印刷」が「片面」、「パンチ」が「上辺」、「マージン」が「上マージン」に設定された場合のビットマップ、図９（ｄ）は「用紙の印刷方向」が「横」、「横用紙回転方向」が「時計回り」、「Ｎアップ」が「なし」、「両面印刷」が「片面」、「パンチ」が「上辺」、「マージン」が「上マージン」に設定された場合のビットマップである。
【００７４】
また、図９（ｅ）は「用紙の印刷方向」が「縦」、「横用紙回転方向」が「反時計回り」、「Ｎアップ」が「なし」、「両面印刷」が「片面」、「ステープル」が「左上コーナー」、「パンチ」が「左辺」、「マージン」が「左マージン」に設定された場合のビットマップであり、図９（ｆ）は「用紙の印刷方向」が「縦」、「横用紙回転方向」が「時計回り」、「Ｎアップ」が「なし」、「両面印刷」が「片面」、「ステープル」が「左辺ダブル」、「パンチ」が「左辺」、「マージン」が「左マージン」に設定された場合のビットマップ、図９（ｇ）は「用紙の印刷方向」が「縦」、「横用紙回転方向」が「反時計回り」、「Ｎアップ」が「なし」、「両面印刷」が「片面」、「ステープル」が「上辺ダブル」、「パンチ」が「上辺」、「マージン」が「上マージン」に設定された場合のビットマップ、図９（ｈ）は「用紙の印刷方向」が「横」、「横用紙回転方向」が「反時計回り」、「Ｎアップ」が「なし」、「両面印刷」が「片面」、「ステープル」が「上辺ダブル」、「パンチ」が「上辺」、「マージン」が「上マージン」に設定された場合のビットマップである。
【００７５】
なお、この場合にも図９には図示していないが、ビットマップは各設定の全ての組み合わせパターンに対応した出来上がりイメージが格納されている。
【００７６】
【発明の効果】
以上説明したように、この発明によれば、印刷条件と印刷後処理条件の指定する際に、予め格納しておいたビットマップを用いて印刷後処理後の出来上がりイメージを表示するように構成したので、印刷条件の設定の操作性が向上し、ユーザの誤操作や誤認識等が少なく、容易に所望の印刷出力結果を得ることができる。
【００７７】
また、ステープルの位置の設定とマージンの設定等の関連する設定項目を連動させて変更するようにしたので、設定の不整合による印刷の失敗を防止することができる。
【図面の簡単な説明】
【図１】印刷条件指定装置の構成を示すブロック図。
【図２】印刷条件指定装置の実際の構成を示すブロック図。
【図３】表示装置５が表示する設定ウインドウ４３の表示例を示した図。
【図４】印刷条件指定装置の動作の流れを示すフローチャート。
【図５】ビットマップ表示部４３７に表示されるビットマップの例を示した図。
【図６】第２の実施例における印刷条件指定装置の動作の流れを示すフローチャート。
【図７】第３の実施例における印刷条件指定装置の動作の流れを示すフローチャート。
【図８】ビットマップ表示部４３７にアニメーションを用いた動画を表示させる場合のビットマップの一例を示した図。
【図９】印刷処理装置２２がパンチャーの場合とステープラーとパンチャーの両者の機能を有する装置の場合にビットマップ表示部４３７に表示されるビットマップの一例を示した図。
【符号の説明】
１    印刷条件指定装置
２    印刷装置
３    入力装置
４    プリンタドライバ
５    表示装置
１１    印刷条件指定部
１２    印刷後処理条件指定部
１３    ビットマップ選択部
１４    ビットマップ格納部
１５    表示部
２１    プリンタ
２２    印刷後処理装置
４１    表示用ビットマップ郡
４２    ビットマップ選択部
４３    設定ウインドウ
４３１    設定項目Ａ
４３２    設定項目Ｂ
４３３    設定項目Ｃ
４３４    設定項目Ｄ
４３５    設定項目Ｅ
４３６    設定項目Ｆ
４３７    ビットマップ表示部
４３８    決定（ＯＫ）ボタン
【図１】
0003601274.tif 000002
【図２】
0003601274.tif 000003
【図３】
0003601274.tif 000004
【図４】
0003601274.tif 000005
【図５】
0003601274.tif 000006
【図６】
0003601274.tif 000007
【図７】
0003601274.tif 000008
【図８】
0003601274.tif 000009
【図９】
0003601274.tif 000010